(57)【特許請求の範囲】
【請求項１】
計量袋詰機における包装袋の支承台に振動手段を取付け、載置される袋のサイズに合わせて支承台の高さを調節自在とし、袋の支承台を取囲むように、載置される袋の種類に合わせて箱詰の時には箱形に、袋詰の時には袋の形状の枠に交換自在で支承台の高さ調節に追従して上下動できる押金具を設け、このような袋の種類に合わせて交換自在で上下動できる押金具を支承台から微量調整充填口へと移動する移動手段を設けたことを特徴とする振動支承移送装置。
【発明の詳細な説明】
【０００１】
【産業上の利用分野】
本発明は、荒茶等を袋詰する装置に用いる計量袋詰機の振動支承移送装置に関する。
【０００２】
【従来の技術】
従来、例えば茶袋のような荒茶の出荷形態として、袋サイズが２０、３０、４０キログラムの大形袋で、紙とビニールと紙の三重袋（製茶業界では「大海袋」という）にいれるもの、又は紙の片面をラミネートした袋にいれ窒素ガスを充填し、この窒素ガス入の袋を箱に入れて出荷する傾向が増加している。
この場合、異なったサイズの大海袋や片面をラミネートした袋（以下、大海袋や片面をラミネートした袋の両者を単に「袋」という）を計量袋詰機の袋の開口部保持装置に装着させる際に、一般に袋の開口部保持装置の高さを調節していたのを、本件出願人に係わる先の出願である特開平５−８５５２２号に於いて、提案しているように、計量袋詰機の袋の支承台の高さを調節自在としたものである。本願は、さらに近年窒素ガス入の袋を箱に入れて出荷する傾向が増加しているのに鑑み、計量袋詰機の袋の支承台を袋を箱に入れ易く、或いは計量袋詰機で茶を充填された後で、この袋内に窒素ガスの充填する作業をし易くしたり、さらには、計量袋詰機で茶を充填された袋詰を梱包機等で結束等の作業をし易くしたりするものが従来なかった。
【０００３】
【発明が解決しようとする課題】
そこで、包装袋の支承台に振動手段を取付け、載置される袋のサイズに合わせて支承台の高さを調節自在とし、袋の支承台を取囲むように、載置される袋の種類に合わせて箱詰の時には箱形に、袋詰の時には袋の形状の枠に交換自在で支承台の高さ調節に追従して上下動できる押金具で袋内の茶を均一にし、袋の種類に合わせて交換自在な押金具で、種々な袋の整形をも可能とし、かつ、このような袋の種類に合わせて交換自在で上下動できる押金具を支承台から微量調整充填口へと袋を整形したままの移動を可能とし、次の作業のシールや梱包をしやすくすること。
【０００４】
【課題を解決するための手段】
本発明は上記課題を解決するために、計量袋詰機における包装袋の支承台に振動手段を取付け、載置される袋のサイズに合わせて支承台の高さを調節自在とし、袋の支承台を取囲むように、載置される袋の種類に合わせて箱詰の時には箱形に、袋詰の時には袋の形状の枠に交換自在で支承台の高さ調節に追従して上下動できる押金具を設け、このような袋の種類に合わせて交換自在で上下動できる押金具を支承台から微量調整充填口へと移動する移動手段を設けたことを特徴とする振動支承移送装置を要旨とする。
【０００５】
【作用】
計量袋詰機における包装袋の支承台に振動手段を取付け、載置される袋のサイズに合わせて支承台の高さを調節自在とし、袋の支承台を取囲むように、載置される袋の種類に合わせて箱詰の時には箱形に、袋詰の時には袋の形状の枠に交換自在で支承台の高さ調節に追従して上下動できる押金具を設け、このような袋の種類に合わせて交換自在で上下動できる押金具を支承台から微量調整充填口へと移動する移動手段を設けな振動支承移送装置であるから、箱詰の時には箱形の押金具を使用し袋詰めの時は袋の形状の枠の押金具を使用して、種々な袋の整形をも可能となり、かつ、このような袋の種類に合わせて交換自在で上下動できる押金具を支承台から微量調整充填口へと袋を整形したままの移動が可能となったので、充填されたとき膨れる部位を調整でき、袋を整形したままで次の工程へ動かせれる。
【０００６】
【実施例】
以下、本発明の振動支承移送装置について、図１乃至図１１の実施例に基づいて説明する。図１、図２、図４に示すように、枠体１に設けた一対の上下のレールとローラチェン２とを付設したフレーム３である。自動計量袋詰機Ａの袋の開口部保持装置のセンターと後述の袋の支承台のセンターとが一致するように、上記フレームと別体の枠体１ａに２本の案内杆４、４を立設し、この案内杆４、４の間に設けたストロークの異なる２本のシリンダ５、６を互いのピストンロッドで連結し、上方のシリンダ上部のシリンダに棧７が取付けられ、この棧７と案内杆４、４に嵌着されたパイプ８…に固着された枠９の下端より水平に固着されたフランジ付きの枠１０に、枠１１を防振ゴム１２を介在させたボルト・ナットで取付けてある。図３に示すように、この防振手段の施された枠１１に、偏心カム１３で振動される袋の支承台１４をバネ１５を介在させて取付けてある。このように、振動される袋の支承台１４と枠１０とは防振手段の介在により枠１０に振動は伝達されないし、不動の枠体１ａに対して枠１０と振動される袋の支承台１４とは一体に上下動もする。また、この上下動する枠１０にフランジ２９を設け、この上端と後述の箱の形状の押金具に設けられた部材３０とが当接する。また、図２に示すように、シリンダ５とシリンダ６の各単独の作動或いは両シリンダの作動させることで、枠１０と振動する支承台１４とは、ａ〜ｃの位置に変えることができ、かつ、この上下動する枠１０のフランジ２９と当接する部材３０とで、この位置の変化に追従して後述の押金具がスタンド２８にしゅう動する。図１の位置は、支承台１４の一番高い位置ａの位置である。
【０００７】
次ぎに、支持枠と移送手段について説明すると、図１、図５乃至図１１に示すように、枠体１でフレーム３が形成され、図８に示すように、このフレムの枠体の一方にブレーキ付きモータ１６にスプロケット１７が取付けてあり、図６に示すように、他方にはスプロケット１８が取付けてある。この両スプロケット１７、１８間にローラチェーンを無端状に張り、図７に示すように、このローラチェーンの中央の枠体には、ローラチェーンを支持する緩み防止の固定されているローラ１９を設けてある。図１、図５、図１１に示すように、ローラチェーンの一部に連結器２０ａ（上下のレールに案内されローラチェーンで往復運動される、従来周知の機構で詳述を省略する）を取付け、この連結器２０ａに連結枠２０で方形状枠２２ａが固着され、この方形枠２２ａの上端と連結器２０ａに取付けられたスタンド２８に案内される部材にボルト・ナット２６、２７で押金具２１、２２が着脱自在に取付けられてある。図９、図１０に示すように、その形状を大海袋の時は、袋の膨らみに合わせた形の押金具２１とし、図１、図５に示すように、箱詰用の袋の時には箱の形状の押金具２２とすると良い結果が得られた。また、図１に示すように、自動計量袋詰機Ａの袋開口部保持装置のセンターと支承台に載置される袋のセンターとが一致するように、連結枠２０に取付けられたローラチェンの連結器２０ａとの接触でローラチェーンを止めるリミットスィッチ２３がフレーム３に取付けられてある。図５に示すように、自動計量袋詰機Ａの微量調整充填口のセンターと移送されてきた袋口のセンターとが一致するように連結器との接触でローラチェーンを止めるリミットスィッチ２４がローラチェーン終端部位のフレーム３に取付けられ、さらに、リミットスィッチ２４ａは連結枠２０に取付けられたローラチェンの始端部位のフレーム３に設けられ連結器をスタートさせる位置ぎめとなる。スタート時に押金具をこの位置に退避させることで、押金具が袋を袋開口部保持装置に装着させる操作の邪魔にならない。符号２５は、ウレタンストッパボルトである。図１、図４、図５に示すように、押金具２２に部材３０を設け前述の上下する枠１０に設けたフランジ２９の上端と当接し、支承台の上下動と追従するように、上記のように方形枠２２ａと連結器に取付けられたスタンド２８に案内される部材で押金具が上下動自在に取付けられてある。  なお、図示していないがフランジ２９の上端と当接する押金具２２の部材３０にねじを設け、このねじの頭をフランジ２９の上端と当接させ、このねじで押金具と支承台とを自動計量袋詰機Ａの袋開口部保持装置の高さの微調整の働きとしてもよい。
なお、上記実施例では茶について説明したが、本発明は茶だけでなく、茶と同様な嵩ばる物品の袋詰に適用できる。したがって、本発明は一般の包装装置に適用できる。
なお、図示していないが、この種の自動計量袋詰機は、茶等の充填時に茶ぼこりが発生するので、集塵装置を付けることがあるので、この集塵装置を利用して、振動部にもフードのような集塵装置を付けるとよい。
【０００８】
次ぎに、動作について説明する、リミットスィッチ２４ａで連結枠２０に取付けられたローラチェンの連結器２０ａをスタートさせる位置にリミットスイッチ２４ａで止め、図示しない袋開口部保持装置に袋を装着させ、スタートさせ自動計量袋詰機Ａの袋開口部保持装置のセンターと支承台に載置される袋のセンターとが一致する位置のリミットスィッチ２３で止められ、袋の大きさに合わせて支承台を上下動させ、この支承台の上下動に追従するが、振動がされなく、押金具も上下に動き所定位置にて開口袋に自動計量袋詰機Ａから茶が充填される。この袋に合わせて、押金具と支承台とを自動計量袋詰機Ａの袋開口部保持装置の高さに合わせる。例えば、袋が一番小さい時には、案内杆４、４の間に設けられたストロークの異なる２本のシリンダ５、６を互いのピストンロッドで連結してあるので、シリンダ５、６を共に作動させると各シリンダ５、６のピストンロッドが最大限伸張すると、袋の支承台１４は一番高い位置ａにセットされ、普通の箱詰用の袋の場合は、一方のシリンダだけ作動させ位置ｂにセットされ、袋の大きい場合は両シリンダを作動させないで位置ｃというように、袋の支承台１４のセット位置を所望な位置にできるので、自動計量袋詰機Ａの袋開口部保持装置の位置の調整が必要なく、誰にでも、簡単にスイッチ等の操作だけでよい。この各シリンダ５、６の調整を無段階な調整としてもよい。ついで、袋の支承台を振動させながら自動計量袋詰機Ａから茶が袋に充填される、このように袋を振動されながら充填されるので、嵩ばる物品の充填には最適であるし、袋開口部保持装置の位置の調整が必要ない運転ができる。充填が終わると高い位置にセットされた充填なら、各シリンダ５、６をもとに戻す操作をしてから、支承台から押金具の移動で滑り板やローラ（図示せず）で自動計量袋詰機Ａの位置から微量調整充填口のセンターへと移送操作する。この時充填が終わつた袋は押金具でそのままの状態の型崩れのないままで移送される。一工程が終わるとモータ１６を逆転させローラチェンの連結器をスタートさせる位置に戻し同じことを繰り返すことができる。押金具が上下に袋の支承台の調整に追従するので袋が充填されたとき膨れる部位を常に整形することになる。
【０００９】
【効果】
計量袋詰機における包装袋の支承台に振動手段を取付け、載置される袋のサイズに合わせて支承台の高さを調節自在とし、袋の支承台を取囲むように、載置される袋の種類に合わせて箱詰の時には箱形に、袋詰の時には袋の形状の枠に交換自在で支承台の高さ調節に追従して上下動できる押金具を設け、このような袋の種類に合わせて交換自在で上下動できる押金具を支承台から微量調整充填口へと移動する移動手段を設けた振動支承移送装置であるから、押金具を箱詰の時には箱形のを使用し袋詰の時は袋の形状の枠を使用でくるし、このような袋の種類に合わせて交換自在で上下動できる押金具を支承台から微量調整充填口へと袋を整形したままの移動をも可能となったので、種々なサイズ、種々な種類の袋であっても適用可能なであり、充填されたとき膨れる部位を調整でき、袋を整形したままで次の工程へ動かせて、袋詰めを箱に入れたり、袋を結束したりする作業が楽に、正確に、迅速にできるので経済的なものである。
【図面の簡単な説明】
【図１】本発明の振動支承移送装置の移送手段の正面図である。
【図２】本発明の振動支承移送装置の振動手段の駆動部の側面図である。
【図３】本発明の振動支承移送装置の振動支承台の正面図である。
【図４】本発明の振動支承移送装置の振動支承台の断面正面図である。
【図５】本発明の振動支承移送装置の移送手段の一部断面平面図である。
【図６】本発明の振動支承移送装置の図１のＡ−Ａ線断面拡大図である。
【図７】本発明の振動支承移送装置の図１のＢ−Ｂ線断面拡大図である。
【図８】本発明の振動支承移送装置の図１のＣ−Ｃ線断面拡大図である。
【図９】本発明の振動支承移送装置の袋用の押金具の拡大平面図である。
【図１０】本発明の振動支承移送装置の袋用の押金具の拡大側面図である。
【図１１】本発明の振動支承移送装置の押金具の取付け枠の拡大側面図である。
【符号の説明】
２            ローラチェン
３            フレーム
４            案内杆
５、６        シリンダ
７            桟
１３          偏心カム
１４          支承台
１６          モータ
１７、１８    スプロケット
２０          連結枠
２１、２２    押金具
２３、２４    リミットスイッチ
２６、２７    ボルト・ハット
【図１】
0003596027.tif 000002
【図２】
0003596027.tif 000003
【図３】
0003596027.tif 000004
【図４】
0003596027.tif 000005
【図５】
0003596027.tif 000006
【図６】
0003596027.tif 000007
【図７】
0003596027.tif 000008
【図８】
0003596027.tif 000009
【図９】
0003596027.tif 000010
【図１０】
0003596027.tif 000011
【図１１】
0003596027.tif 000012